(57)【特許請求の範囲】
【請求項１】
物品載荷用スラットの裏面に一体化したリンク本体の前方端に左右一対のピン孔が形成されるとともに前記リンク本体の後方端にブシュが形成され、前記ピン孔に嵌合して前記ブシュを貫通する連結ピンが隣り合うリンク本体同士を無端状に連結してなるオフセット形低騒音搬送チェーンにおいて、
前記ブシュが、前記リンク本体のオフセット位置からそれぞれ分岐した円筒状中央部と左右一対の鍔状側端部を備えていることを特徴とするオフセット形低騒音搬送チェーン。
【請求項２】
物品載荷用スラットの裏面に一体化したリンク本体の前方端に左右一対のピン孔が形成されるとともに前記リンク本体の後方端にブシュが形成され、前記ピン孔に嵌合して前記ブシュを貫通する連結ピンが隣り合うリンク本体同士を無端状に連結してなるオフセット形低騒音搬送チェーンにおいて、
前記隣り合うリンク本体同士の対向するピン孔とブシュとの間に、リンク本体から片持ち状に突出した緩衝用突起片が介在していることを特徴とするオフセット形低騒音搬送チェーン。
【発明の詳細な説明】
【０００１】
【発明の属する技術分野】
本発明は、物品載荷用スラットの裏面に一体化したリンク本体を連結ピンによって無端状に連結してなるオフセット形低騒音搬送チェーンに関するものであって、連結ピンの軸方向で隣り合うリング本体同士が接触するときに生じる騒音を低減するものである。
【０００２】
【従来の技術】
従来のオフセット形搬送チェーンは、実開平５−０４０６４２号公報に記載されているように、トッププレート部の裏面に一体化したリンク部が連結ピンによって無端状に多数連結されている。
このようなオフセット形搬送チェーンでは、リンク部が１ピッチで切り継ぎできるようにその前方端から後方端に向けてオフセットされており、このリンク部の前方端に左右一対のピン孔が形成されているとともに、リンク部の後方端にブシュが形成されている。
そして、連結ピンが隣り合うリンク部同士のピン孔に嵌合してブシュを貫通することによって、これらの隣り合うリンク部同士を無端状に連結している。
【０００３】
【発明が解決しようとする課題】
ところが、このようなオフセット形搬送チェーンは、搬送走行時に隣り合うリンク部同士を円滑に屈曲させるために、隣り合うリンク部同士の対向するブシュとピン孔との間にある程度の隙間を設けている。
したがって、搬送走行時に、隣り合うリンク部が隙間によって連結ピンの軸方向に相対移動し、リンク部がお互いに接触と非接触を繰り返しながら接触音、衝突音などの搬送騒音を発生させるという問題があった。
【０００４】
特に、曲線搬送用に構成されたオフセット形搬送チェーンでは、積極的に前記隙間を大きくしてリンク部同士の水平曲がりの屈曲を許容しているので、リンク部同士の接触、衝突によるストローク幅が増大し、搬送騒音がさらに大きくなるとともに、リンク部同士の接触、衝突によってリンク部が早期に摩耗したり破損するという問題があり、しかも、リンク部同士の接触、衝突によってトッププレート部に微振動が発生して搬送物品が不安定な載荷状態となり、軈ては搬送物品をトッププレート部の物品載荷面から落下させて搬送物品の商品価値を著しく損なうという問題があった。
【０００５】
そこで、本発明の目的は、前述したような従来の技術の問題を解決して、搬送騒音や搬送振動を大幅に低減するとともに安定した物品搬送を実現し、耐久性に優れたオフセット形低騒音搬送チェーンを提供することである。
【０００６】
【課題を解決するための手段】
そこで、本請求項１に係る発明のオフセット形低騒音搬送チェーンは、物品載荷用スラットの裏面に一体化したリンク本体の前方端に左右一対のピン孔が形成されるとともに前記リンク本体の後方端にブシュが形成され、前記ピン孔に嵌合して前記ブシュを貫通する連結ピンが隣り合うリンク本体同士を無端状に連結してなるオフセット形低騒音搬送チェーンにおいて、前記ブシュが、前記リンク本体のオフセット位置からそれぞれ分岐した円筒状中央部と左右一対の鍔状側端部を備えていることにより、前記課題を解決したものである。
【０００７】
また、本請求項２に係る発明のオフセット形低騒音搬送チェーンは、物品載荷用スラットの裏面に一体化したリンク本体の前方端に左右一対のピン孔が形成されるとともに前記リンク本体の後方端にブシュが形成され、前記ピン孔に嵌合して前記ブシュを貫通する連結ピンが隣り合うリンク本体同士を無端状に連結してなるオフセット形低騒音搬送チェーンにおいて、前記隣り合うリンク本体同士の対向するピン孔とブシュとの間に、リンク本体から片持ち状に突出した緩衝用突起片が介在していることにより、前記課題を解決したものである。
【０００８】
ここで、本発明のオフセット形低騒音搬送チェーンにおけるリンク本体の素材としてプラスチックを用いる場合は、一般用のプラスチックに比べて物理的機械的性質などが高いエンジニアリング・プラスチックを用いられ、具体的には、耐摩耗性、自己潤滑性、耐衝撃性、耐薬品性に優れたポリアミド樹脂や耐疲労性、耐摩耗性に優れたポリアタセール樹脂や耐摩耗性、耐薬品性、耐熱性、寸法安定性に優れたポリブチレンテレフタレート樹脂などが用いられる。
【０００９】
【作用】
まず、本請求項１に係る発明のオフセット形低騒音搬送チェーンによれば、ブシュがリンク本体のオフセット位置からそれぞれ分岐した円筒状中央部と左右一対の鍔状側端部を備えていることによって、円筒状中央部と鍔状側端部との間にスリット状の空間が形成されるとともに鍔状側端部が片持ち状の薄板形態を呈しているため、搬送走行時に隣り合うリンク本体同士のピン孔とブシュが連結ピン軸方向において接触、または、衝突すると、鍔状側端部に曲げモーメントが働いてスリット状の空間に向けて弾力的に撓み、前記接触や衝突に伴った衝撃エネルギーを大幅に緩和する、所謂、衝撃力緩和作用を奏する。
【００１０】
さらに、本請求項２に係る発明のオフセット形低騒音搬送チェーンによれば、隣り合うリンク本体同士の対向するピン孔とブシュとの間に、リンク本体から片持ち状に突出した緩衝用突起片が介在していることによって、搬送走行時に隣り合うリンク本体同士のピン孔とブシュとの直接的な接触や衝突を回避するとともに、隣り合うリンク本体同士のピン孔とブシュにおける連結ピン軸方向の相対移動に伴う衝撃力を弾力的に緩衝して搬送騒音や搬送振動を抑制する、所謂、衝撃力緩衝作用を奏するとともに、隣り合うリンク本体同士の連結位置を常に連結ピン軸の中央に是正する、所謂、片寄り是正作用を奏する。
【００１１】
【実施例】
以下、図面を参照して本発明によるオフセット形低騒音搬送チェーンの実施例を説明する。
まず、図１および図２は、本請求項１に係る発明のオフセット形低騒音搬送チェーンの一実施例を示すものであって、図１の（ａ）は、チェーン表側からみた外観図であり、図１の（ｂ）は、チェーン裏側からみた外観図であり、図２は、図１の（ｂ）におけるチェーン１ピッチ分の拡大図である。
本実施例のオフセット形低騒音搬送チェーンは、物品載荷用スラット１０の裏面に一体化して形成された樹脂製のリンク本体２０を連結ピン３０で無端状に多数連結することによって構成されている。
【００１２】
そして、前記樹脂製のリンク本体２０は、その前方端に形成された左右一対のピン孔２１、２１と、その後方端に形成されたブシュ孔を有するブシュ２２とを備えており、その前方端から後方端に至る具体的な形状については、従来のオフセット搬送チェーンと同様にチェーン１ピッチ単位で切り継ぎできるように、その前方端から後方端に向けて段差を設けた形状、いわゆる、オフセット形状を採用している。
【００１３】
また、前記ブシュ２２は、リンク本体２０をオフセットさせるオフセット位置Ｘ１の近傍からそれぞれ分岐した円筒状中央部２２ａと左右一対の鍔状側端部２２ｂ、２２ｂによって構成されており、これらの円筒状中央部２２ａと鍔状側端部２２ｂとの間にはスリット状の空間Ｓが形成されるとともに、鍔状側端部２２ｂが片持ち状の薄板形態を呈するようになっている。
【００１４】
さらに、前記連結ピン３０は、隣り合うリンク本体２０、２０同士のピン孔２１、２１に嵌合して固定されるとともに、円筒状中央部２２ａと左右一対の鍔状側端部２２ｂ、２２ｂからなるブシュ２２を貫通することによって、これらの隣り合うリンク本体２０、２０同士を連結している。
【００１５】
したがって、本実施例のオフセット形低騒音搬送チェーンでは、水平曲がり搬送などの搬送走行時に隣り合うリンク本体２０、２０同士のピン孔２１とブシュ２２が連結ピン軸方向において接触、または、衝突すると、鍔状側端部２２ｂに曲げモーメントが働いてスリット状の空間Ｓに向けて弾力的に撓み、前記接触や衝突に伴った衝撃エネルギーを大幅に緩和するので、搬送騒音を大幅に低減することができるとともに、搬送振動を弾力的に吸収して安定した物品搬送を実現することができ、長期にわたって優れた耐久性を達成することができる。
【００１６】
つぎに、図３は、本発明のオフセット形低騒音搬送チェーンの理解を助けるための参考例を示すものであって、チェーン裏側からみた外観図である。
本発明の理解を助けるための参考例であるオフセット形低騒音搬送チェーンは、物品載荷用スラット１０の裏面に一体化して形成された樹脂製のリンク本体２０を連結ピン３０で無端状に多数連結することによって構成されている。
【００１７】
そして、前記樹脂製のリンク本体２０は、その前方端に形成された左右一対のピン孔２１、２１とその後方端に形成されたブシュ孔を有するブシュ２２とを備えており、その前方端から後方端に至る具体的な形状については、従来のオフセット搬送チェーンと同様にチェーン１ピッチ単位で切り継ぎできるように、その前方端から後方端に向けて段差を設けた形状、いわゆる、オフセット形状を採用している。
【００１８】
また、前記連結ピン３０は、隣り合うリンク本体２０、２０同士のピン孔２１、２１に嵌合して固定されるとともに、ブシュ２２を貫通することによって、これらの隣り合うリンク本体２０、２０同士を連結している。
【００１９】
ここで、本発明の理解を助けるための参考例では、隣り合うリンク本体２０、２０同士の対向するピン孔２１とブシュ２２との相互間にドーナツ状の制振・吸音パッド４０を介在させており、この制振・吸音パッド４０によって衝撃力を積極的に吸収するようになっている。
そして、この制振・吸音パッド４０の具体的な外観形状については、本参考例では、ドーナツ状の形状を採用しているが、隣り合うリンク本体２０、２０同士のピン孔２１とブシュ２２との間に生じ得る衝撃力を積極的に吸収する形状であれば、これ以外の形状であっても差し支えない。
なお、この制振・吸音パッド４０のブシュ２２側に配置されるパッド面の表面形態については、連結ピン３０によって隣り合うリンク本体２０のブシュ２２が連結ピン３０回りに円滑な回動運動をすることができる表面形態、すなわち、接触面積と摩擦抵抗が少ない表面形態を採用すると、より好ましい。
また、この制振・吸音パッド４０の具体的な素材については、不織布、フェルトなどの衝撃力を積極的に吸収することができる素材であれば、如何なる素材であっても良い。
【００２０】
したがって、本発明の理解を助けるための参考例のオフセット形低騒音搬送チェーンでは、ドーナツ状の制振・吸音パッド４０を用いたことによって、この制振・吸音パッド４０が水平曲がり搬送などの搬送走行時に隣り合うリンク本体２０、２０同士のピン孔２１とブシュ２２との直接的な接触や衝突を回避している。
【００２１】
つぎに、図４は、本請求項２に係る発明のオフセット形低騒音搬送チェーンの一実施例を示すものであって、チェーン裏側からみた外観図である。
本実施例のオフセット形低騒音搬送チェーンは、物品載荷用スラット１０の裏面に一体化して形成された樹脂製のリンク本体２０を連結ピン３０で無端状に多数連結することによって構成されている。
【００２２】
そして、前記樹脂製のリンク本体２０は、前述した図３のリンク本体２０と同様に、その前方端に形成された左右一対のピン孔２１、２１とその後方端に形成されたブシュ孔を有するブシュ２２とを備えており、その前方端から後方端に至る具体的な形状については、従来のオフセット搬送チェーンと同様にチェーン１ピッチ単位で切り継ぎできるように、その前方端から後方端に向けて段差を設けた形状、いわゆる、オフセット形状を採用している。
【００２３】
また、前記連結ピン３０は、前述した図３の連結ピン３０と同様に、隣り合うリンク本体２０、２０同士のピン孔２１、２１に嵌合して固定されるとともに、ブシュ２２を貫通することによって、これらの隣り合うリンク本体２０、２０同士を連結している。
【００２４】
ここで、本実施例では、隣り合うリンク本体２０、２０同士の対向するピン孔２１とブシュ２２との相互間に、リンク本体２０から片持ち状に突出した一対の緩衝用突起片５０、５０を介在させている。
そして、この緩衝用突起片５０、５０によって、搬送走行時に隣り合うリンク本体２０、２０同士のピン孔２１とブシュ２２との直接的な接触や衝突を回避するとともに、隣り合うリンク本体２０、２０同士のピン孔２１とブシュ２２における連結ピン軸方向の相対移動に伴う衝撃力を弾力的に緩衝して搬送騒音や搬送振動を抑制するとともに、隣り合うリンク本体２０、２０同士の連結位置を常に連結ピン軸方向の中央に是正するようになっている。
そして、この緩衝用突起片５０の具体的な外観形状については、本実施例ではリンク本体２０の後方に向けて片持ち状に突出する刺状突起片を採用しているが、隣り合うリンク本体２０、２０同士のピン孔２１とブシュ２２との間に生じ得る衝撃力を弾力的に緩衝することができる形状であれば、これ以外の形状であっても差し支えない。
なお、この緩衝用突起片５０の先端部については、連結ピン３０によって隣り合うリンク本体２０のブシュ２２が連結ピン３０回りに円滑な回動運動をすることができる先端形態、すなわち、接触抵抗が少ない丸みを有する先端形態を採用すると、より好ましい。
また、この緩衝用突起片５０を形成する具体的な素材については、リンク本体２０と同質の樹脂やこれより柔軟な樹脂のいずれであっても差し支えなく、要するに、衝撃力を弾力的に緩衝することができる素材であれば、如何なる素材であっても良い。
【００２５】
したがって、本実施例のオフセット形低騒音搬送チェーンでは、緩衝用突起片５０を用いたことによって、この緩衝用突起片５０が水平曲がり搬送などの搬送走行時に隣り合うリンク本体２０、２０同士のピン孔２１とブシュ２２との直接的な接触や衝突を回避して、連結ピン軸方向の相対移動に伴う衝撃力を弾力的に緩衝するとともに、隣り合うリンク本体２０、２０同士の連結位置を常に連結ピン軸方向の中央に是正するので、低騒音で片寄りのない物品搬送を実現させることができ、長期にわたって優れた耐久性を達成させることができる。
【００２６】
【発明の効果】
本発明のオフセット形低騒音搬送チェーンは、以下のような本発明に特有の効果を奏することができる。
まず、本請求項１に係る発明のオフセット形低騒音搬送チェーンによれば、ブシュがリンク本体のオフセット位置からそれぞれ分岐した円筒状中央部と左右一対の鍔状側端部を備えていることによって、搬送走行時に隣り合うリンク本体同士のピン孔とブシュが連結ピンの軸方向において接触や衝突を生じると、鍔状側端部が衝撃力緩和作用を発揮するので、従来のオフセット形搬送チェーンにおいて発生したような搬送騒音を大幅に低減することができるとともに、搬送振動を低減して安定した物品搬送を実現することができ、しかも、長期にわたって優れた耐久性を達成することができる。
【００２７】
さらに、本請求項２に係る発明のオフセット形低騒音搬送チェーンによれば、隣り合うリンク本体同士の対向するピン孔とブシュとの間に、リンク本体から片持ち状に突出した緩衝用突起片が介在していることによって、搬送走行時に隣り合うリンク本体同士のピン孔とブシュとの直接的な接触や衝突を回避して、連結ピン軸方向の相対移動に伴う衝撃力を弾力的に緩衝するとともに、隣り合うリンク本体同士の連結位置を常に連結ピン軸方向の中央に是正するので、低騒音で片寄りのない物品搬送を実現することができ、しかも、長期にわたって優れた耐久性を達成することができる。
【図面の簡単な説明】
【図１】本発明であるオフセット形搬送チェーンの一実施例を示す図であって、（ａ）はチェーン表側からみた外観図、（ｂ）はチェーン裏側からみた外観図。
【図２】図１の（ｂ）におけるチェーン１ピッチ分の拡大図。
【図３】本発明であるオフセット形搬送チェーンを理解するための参考例を示す図。
【図４】本発明であるオフセット形搬送チェーンの他の実施例を示す図。
【符号の説明】
１０  ・・・・・  物品載荷用スラット
２０  ・・・・・  リンク本体
２１  ・・・・・  ピン孔
２２  ・・・・・  ブシュ
２２ａ  ・・・・  円筒状中央部
２２ｂ  ・・・・  鍔状側端部
３０  ・・・・・  連結ピン
４０  ・・・・・  制振・吸音パッド
５０  ・・・・・  緩衝用突起片
Ｘ１、Ｘ２  ・・  オフセット位置
Ｓ  ・・・・・・  スリット状の空間
【図１】
0004535595.tif 000002
【図２】
0004535595.tif 000003
【図３】
0004535595.tif 000004
【図４】
0004535595.tif 000005